【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
側鎖にナフタレン環を有するポリアミック酸もしくはポリイミドを含有する液晶配向剤において、
前記側鎖にナフタレン環を有するポリアミック酸もしくはポリイミドの側鎖が下記一般式（１）で示される基である液晶配向剤。
【化１】
2008197259.tif 000001
（式中Ａ1は単結合、フェニレン、またはナフチレンを表し、Ａ2はフェニレンまたはナフチレンを表し、Ａ1またはＡ2のうち少なくとも１つはナフチレンであり、Ｘ1は炭素数１〜１４のアルキレンを表し、このうちの１または隣り合わない２つのメチレンは−Ｏ−もしくは−ＣＯＯ−で置換されてもよい。Ｘ2は単結合、−ＯＣＯ−、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、−ＣＯ2Ｈ、−ＯＣＯＲ3、または−ＣＯ2Ｒ3を表し、Ｒ3はメチルもしくはエチルを表す。）
【請求項２】
前記側鎖にナフタレン環を有するポリアミック酸もしくはポリイミドが下記一般式（２）で示されるフェニレンジアミンを含むジアミンから合成されるものである請求項１に記載の液晶配向剤。
【化２】
2008197259.tif 000002
（式中Ａ1は単結合、フェニレン、またはナフチレンを表し、Ａ2はフェニレンまたはナフチレンを表し、Ａ1またはＡ2のうち少なくとも１つはナフチレンであり、Ｘ1は炭素数１〜１４のアルキレンを表し、このうちの１または隣り合わない２つのメチレンは−Ｏ−もしくは−ＣＯＯ−で置換されてもよい。Ｘ2は単結合、−ＯＣＯ−、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、−ＣＯ2Ｈ、−ＯＣＯＲ3、または−ＣＯ2Ｒ3を表し、Ｒ3はメチルもしくはエチルを表す。）
【請求項３】
前記側鎖にナフタレン環を有するポリアミック酸もしくはポリイミドが下記一般式（３）で示されるフェニレンジアミンを含むジアミンから合成されるものである請求項２に記載の液晶配向剤。
【化３】
2008197259.tif 000003
（式中Ａ1は単結合、フェニレン、またはナフチレンを表し、Ａ2はフェニレンまたはナフチレンを表し、Ａ1またはＡ2のうち少なくとも１つはナフチレンであり、Ｘ3は炭素数１〜１３のアルキレンを表し、このうちのＡ1に結合するメチレンは−Ｏ−または−ＣＯＯ−で置換されてもよい。Ｘ2は単結合、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、または−ＣＯ2Ｒ3を表し、Ｒ3はメチルもしくはエチルを表す。）
【請求項４】
前記側鎖にナフタレン環を有するポリアミック酸もしくはポリイミドが下記一般式（４）で示されるフェニレンジアミンを含むジアミンから合成されるものである請求項２に記載の液晶配向剤。
【化４】
2008197259.tif 000004
（式中Ａ1は単結合、フェニレン、またはナフチレンを表し、Ａ2はフェニレンまたはナフチレンを表し、Ａ1またはＡ2のうち少なくとも１つはナフチレンであり、Ｘ3は炭素数１〜１３のアルキレンを表し、このうちのＡ1に結合するメチレンは−Ｏ−または−ＣＯＯ−で置換されてもよい。Ｘ2は単結合、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、または−ＣＯ2Ｒ3を表し、Ｒ3はメチルもしくはエチルを表す。）
【請求項５】
前記一般式（３）において、Ｘ3が炭素数１〜６のアルキレンであり、このうちのＡ1に結合するメチレンは−Ｏ−または−ＣＯＯ−で置換されてもよく、Ｘ2が単結合または−Ｃ
ＯＯ−であり、Ｒが−ＣＮ、−ＯＨ、または−ＣＯ2Ｍｅであるフェニレンジアミンを含むジアミンから合成されるポリアミック酸もしくはポリイミドを含有する請求項３に記載の液晶配向剤。
【請求項６】
前記一般式（４）において、Ｘ3が炭素数１〜６のアルキレンであり、このうちのＡ1に結合するメチレンは−Ｏ−または−ＣＯＯ−で置換されてもよく、Ｘ2が単結合または−ＣＯＯ−であり、Ｒが−ＣＮ、−ＯＨ、または−ＣＯ2Ｍｅであるフェニレンジアミンを含むジアミンから合成されるポリアミック酸もしくはポリイミドを含有する請求項４に記載の液晶配向剤。
【請求項７】
下記一般式（３−１）〜（３−５２）で示されるジアミンから構成される群から選択される１種以上を含むアミン成分から合成されるポリアミック酸もしくはポリイミドをさらに含有する請求項１〜６のいずれか一項に記載の液晶配向剤。
【化５】
2008197259.tif 000005
【化６】
2008197259.tif 000006
【化７】
2008197259.tif 000007
【請求項８】
前記アミン成分が４，４'−ジアミノジフェニルメタンを含む請求項７に記載の液晶配向剤。
【請求項９】
前記ポリアミック酸もしくはポリイミドが酸成分としてテトラカルボン酸二無水物を用いて合成されるものであり、前記テトラカルボン酸二無水物は、下記式（２−１）〜（２−３８）で示される芳香族テトラカルボン酸二無水物及び脂肪族テトラカルボン酸二無水物若しくは脂環式テトラカルボン酸から選ばれる一種以上を含む請求項１〜８のいずれか一項に記載の液晶配向剤。
【化８】
2008197259.tif 000008
【化９】
2008197259.tif 000009
【化１０】
2008197259.tif 000010
【請求項１０】
前記テトラカルボン酸二無水物が、ピロメリット酸二無水物及び／又はシクロブタンテトラカルボン酸二無水物である請求項９に記載の液晶配向剤。
【請求項１１】
下記一般式（２）で示されるフェニレンジアミン。
【化１１】
2008197259.tif 000011
（式中Ａ1は単結合、フェニレン、またはナフチレンを表し、Ａ2はフェニレンまたはナフチレンを表し、Ａ1またはＡ2のうち少なくとも１つはナフチレンであり、Ｘ1は炭素数１〜１４のアルキレンを表し、このうちの１または隣り合わない２つのメチレンは−Ｏ−もしくは−ＣＯＯ−で置換されてもよい。Ｘ2は単結合、−ＯＣＯ−、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、−ＣＯ2Ｈ、−ＯＣＯＲ3、または−ＣＯ2Ｒ3を表し、Ｒ3はメチルもしくはエチルを表す。）
【請求項１２】
下記一般式（３）で示されるフェニレンジアミン。
【化１２】
2008197259.tif 000012
（式中Ａ1は単結合、フェニレン、またはナフチレンを表し、Ａ2はフェニレンまたはナフチレンを表し、Ａ1またはＡ2のうち少なくとも１つはナフチレンであり、Ｘ3は炭素数１〜１３のアルキレンを表し、このうちのＡ1に結合するメチレンは−Ｏ−または−ＣＯＯ−で置換されてもよい。Ｘ2は単結合、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、または−ＣＯ2Ｒ3を表し、Ｒ3はメチルもしくはエチルを表す。）
【請求項１３】
下記一般式（４）で示されるフェニレンジアミン。
【化１３】
2008197259.tif 000013
（式中Ａ1は単結合、フェニレン、またはナフチレンを表し、Ａ2はフェニレンまたはナフチレンを表し、Ａ1またはＡ2のうち少なくとも１つはナフチレンであり、Ｘ3は炭素数１〜１３のアルキレンを表し、このうちのＡ1に結合するメチレンは−Ｏ−または−ＣＯＯ−で置換されてもよい。Ｘ2は単結合、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、または−ＣＯ2Ｒ3を表し、Ｒ3はメチルもしくはエチルを表す。）
【請求項１４】
前記一般式（３）において、Ｘ3が炭素数１〜６のアルキレンであり、このうちのＡ1に結合するメチレンは−Ｏ−または−ＣＯＯ−で置換されてもよく、Ｘ2が単結合または−ＣＯＯ−であり、Ｒが−ＣＮ、−ＯＨ、または−ＣＯ2Ｍｅである請求項１２に記載のフェニレンジアミン。
【請求項１５】
前記一般式（４）において、Ｘ3が炭素数１〜６のアルキレンであり、このうちのＡ1に結合するメチレンは−Ｏ−または−ＣＯＯ−で置換されてもよく、Ｘ2が単結合または−ＣＯＯ−であり、Ｒが−ＣＮ、−ＯＨ、または−ＣＯ2Ｍｅである請求項１３に記載のフェニレンジアミン。
【手続補正２】
【補正対象書類名】明細書
【補正対象項目名】００１１
【補正方法】変更
【補正の内容】
【００１１】
本発明は以下から構成される。
＜１＞
側鎖にナフタレン環を有するポリアミック酸もしくはポリイミドを含有する液晶配向剤において、
前記側鎖にナフタレン環を有するポリアミック酸もしくはポリイミドの側鎖が下記一般式（１）で示される基である液晶配向剤。
【化２】
2008197259.tif 000014
（式中Ａ1は単結合、フェニレン、またはナフチレンを表し、Ａ2はフェニレンまたはナフチレンを表し、Ａ1またはＡ2のうち少なくとも１つはナフチレンであり、Ｘ1は炭素数１〜１４のアルキレンを表し、このうちの１または隣り合わない２つのメチレンは−Ｏ−もしくは−ＣＯＯ−で置換されてもよい。Ｘ2は単結合、−ＯＣＯ−、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、−ＣＯ2Ｈ、−ＯＣＯＲ3、または−ＣＯ2Ｒ3を表し、Ｒ3はメチルもしくはエチルを表す。）
＜２＞
前記側鎖にナフタレン環を有するポリアミック酸もしくはポリイミドが下記一般式（２）で示されるフェニレンジアミンを含むジアミンから合成されるものである＜１＞に記載の液晶配向剤。
【化３】
2008197259.tif 000015
（式中Ａ1は単結合、フェニレン、またはナフチレンを表し、Ａ2はフェニレンまたはナフチレンを表し、Ａ1またはＡ2のうち少なくとも１つはナフチレンであり、Ｘ1は炭素数１〜１４のアルキレンを表し、このうちの１または隣り合わない２つのメチレンは−Ｏ−もしくは−ＣＯＯ−で置換されてもよい。Ｘ2は単結合、−ＯＣＯ−、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、−ＣＯ2Ｈ、−ＯＣＯＲ3、または−ＣＯ2Ｒ3を表し、Ｒ3はメチルもしくはエチルを表す。）
＜３＞
前記側鎖にナフタレン環を有するポリアミック酸もしくはポリイミドが下記一般式（３）で示されるフェニレンジアミンを含むジアミンから合成されるものである＜２＞に記載の液晶配向剤。
【化４】
2008197259.tif 000016
（式中Ａ1は単結合、フェニレン、またはナフチレンを表し、Ａ2はフェニレンまたはナフチレンを表し、Ａ1またはＡ2のうち少なくとも１つはナフチレンであり、Ｘ3は炭素数１〜１３のアルキレンを表し、このうちのＡ1に結合するメチレンは−Ｏ−または−ＣＯＯ−で置換されてもよい。Ｘ2は単結合、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、または−ＣＯ2Ｒ3を表し、Ｒ3はメチルもしくはエチルを表す。）
＜４＞
前記側鎖にナフタレン環を有するポリアミック酸もしくはポリイミドが下記一般式（４）で示されるフェニレンジアミンを含むジアミンから合成されるものである＜２＞に記載の液晶配向剤。
【化５】
2008197259.tif 000017
（式中Ａ1は単結合、フェニレン、またはナフチレンを表し、Ａ2はフェニレンまたはナフチレンを表し、Ａ1またはＡ2のうち少なくとも１つはナフチレンであり、Ｘ3は炭素数１〜１３のアルキレンを表し、このうちのＡ1に結合するメチレンは−Ｏ−または−ＣＯＯ−で置換されてもよい。Ｘ2は単結合、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、または−ＣＯ2Ｒ3を表し、Ｒ3はメチルもしくはエチルを表す。）
＜５＞
前記一般式（３）において、Ｘ3が炭素数１〜６のアルキレンであり、このうちのＡ1に結合するメチレンは−Ｏ−または−ＣＯＯ−で置換されてもよく、Ｘ2が単結合または−ＣＯＯ−であり、Ｒが−ＣＮ、−ＯＨ、または−ＣＯ2Ｍｅであるフェニレンジアミンを含むジアミンから合成されるポリアミック酸もしくはポリイミドを含有する＜３＞に記載の液晶配向剤。
＜６＞
前記一般式（４）において、Ｘ3が炭素数１〜６のアルキレンであり、このうちのＡ1に結合するメチレンは−Ｏ−または−ＣＯＯ−で置換されてもよく、Ｘ2が単結合または−ＣＯＯ−であり、Ｒが−ＣＮ、−ＯＨ、または−ＣＯ2Ｍｅであるフェニレンジアミンを含むジアミンから合成されるポリアミック酸もしくはポリイミドを含有する＜４＞に記載の液晶配向剤。
＜７＞
下記一般式（３−１）〜（３−５２）で示されるジアミンから構成される群から選択される１種以上を含むアミン成分から合成されるポリアミック酸もしくはポリイミドをさら
に含有する＜１＞〜＜６＞のいずれかに記載の液晶配向剤。
【化６】
2008197259.tif 000018
【化７】
2008197259.tif 000019
【化８】
2008197259.tif 000020
＜８＞
前記アミン成分が４，４'−ジアミノジフェニルメタンを含む＜７＞に記載の液晶配向剤。
＜９＞
前記ポリアミック酸もしくはポリイミドが酸成分としてテトラカルボン酸二無水物を用
いて合成されるものであり、前記テトラカルボン酸二無水物は、下記式（２−１）〜（２−３８）で示される芳香族テトラカルボン酸二無水物及び脂肪族テトラカルボン酸二無水物若しくは脂環式テトラカルボン酸から選ばれる一種以上を含む＜１＞〜＜８＞のいずれかに記載の液晶配向剤。
【化９】
2008197259.tif 000021
【化１０】
2008197259.tif 000022
【化１１】
2008197259.tif 000023
＜１０＞
前記テトラカルボン酸二無水物が、ピロメリット酸二無水物及び／又はシクロブタンテトラカルボン酸二無水物である＜９＞に記載の液晶配向剤。
＜１１＞
下記一般式（２）で示されるフェニレンジアミン。
【化１２】
2008197259.tif 000024
（式中Ａ1は単結合、フェニレン、またはナフチレンを表し、Ａ2はフェニレンまたはナフチレンを表し、Ａ1またはＡ2のうち少なくとも１つはナフチレンであり、Ｘ1は炭素数１〜１４のアルキレンを表し、このうちの１または隣り合わない２つのメチレンは−Ｏ−もしくは−ＣＯＯ−で置換されてもよい。Ｘ2は単結合、−ＯＣＯ−、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、−ＣＯ2Ｈ、−ＯＣＯＲ3、または−ＣＯ2Ｒ3を表し、Ｒ3はメチルもしくはエチルを表す。）
＜１２＞
下記一般式（３）で示されるフェニレンジアミン。
【化１３】
2008197259.tif 000025
（式中Ａ1は単結合、フェニレン、またはナフチレンを表し、Ａ2はフェニレンまたはナフチレンを表し、Ａ1またはＡ2のうち少なくとも１つはナフチレンであり、Ｘ3は炭素数１〜１３のアルキレンを表し、このうちのＡ1に結合するメチレンは−Ｏ−または−ＣＯＯ−で置換されてもよい。Ｘ2は単結合、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、または−ＣＯ2Ｒ3を表し、Ｒ3はメチルもしくはエチルを表す。）
＜１３＞
下記一般式（４）で示されるフェニレンジアミン。
【化１４】
2008197259.tif 000026
（式中Ａ1は単結合、フェニレン、またはナフチレンを表し、Ａ2はフェニレンまたはナフチレンを表し、Ａ1またはＡ2のうち少なくとも１つはナフチレンであり、Ｘ3は炭素数１〜１３のアルキレンを表し、このうちのＡ1に結合するメチレンは−Ｏ−または−ＣＯＯ−で置換されてもよい。Ｘ2は単結合、−ＣＯＯ−、または−ＣＯＮＲ2−を表し、Ｒ2は水素またはメチルを表し、Ｒは水素、炭素数１〜１２のアルキル、−ＣＮ、−Ｆ、−ＯＨ、または−ＣＯ2Ｒ3を表し、Ｒ3はメチルもしくはエチルを表す。）
＜１４＞
前記一般式（３）において、Ｘ3が炭素数１〜６のアルキレンであり、このうちのＡ1に結合するメチレンは−Ｏ−または−ＣＯＯ−で置換されてもよく、Ｘ2が単結合または−ＣＯＯ−であり、Ｒが−ＣＮ、−ＯＨ、または−ＣＯ2Ｍｅである＜１２＞に記載のフェニレンジアミン。
＜１５＞
前記一般式（４）において、Ｘ3が炭素数１〜６のアルキレンであり、このうちのＡ1に結合するメチレンは−Ｏ−または−ＣＯＯ−で置換されてもよく、Ｘ2が単結合または−ＣＯＯ−であり、Ｒが−ＣＮ、−ＯＨ、または−ＣＯ2Ｍｅである＜１３＞に記載のフェニレンジアミン。